【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
異なる薬剤が収容される複数の薬剤収容室及び隣接する前記薬剤収容室を相互に連通可能に連結する隔壁部を有する柔軟なバッグ本体と、このバック本体における一端側の前記薬剤収容室に装着された注出用口部材とを備え、投薬する際は、前記隔壁部を開通させてそれぞれの前記薬剤収容室に収容された異なる薬剤を混合し、前記バック本体における前記注出用口部材が装着されていない他端側の前記薬剤収容室の外側に形成された吊下穴に引っかけて吊り下げた状態で、混合薬剤を前記注出用口部材から注出するようになっている複槽薬剤バッグにおける一端側の前記薬剤収容室または他端側の前記薬剤収容室に、前記注出用口部材または前記吊下穴を覆うように、熱収縮性フィルムによって形成された袋状または筒状の封緘材を被せて加熱収縮させることによって、前記複槽薬剤バッグに前記封緘材を装着する、封緘材付き複槽薬剤バッグの製造方法において、  前記封緘材を加熱収縮させる際、前記封緘材を被せた前記バッグ本体における前記薬剤収容室を前記封緘材の外側から押えて内圧を高めるようにしたことを特徴とする封緘材付き複槽薬剤バッグの製造方法。
【請求項２】
異なる薬剤が収容される複数の薬剤収容室及び隣接する前記薬剤収容室を相互に連通可能に連結する隔壁部を有する柔軟なバッグ本体と、このバック本体における一端側の前記薬剤収容室に装着された注出用口部材とを備え、投薬する際は、前記隔壁部を開通させてそれぞれの前記薬剤収容室に収容された異なる薬剤を混合し、前記バック本体における前記注出用口部材が装着されていない他端側の前記薬剤収容室の外側に形成された吊下穴に引っかけて吊り下げた状態で、混合薬剤を前記注出用口部材から注出するようになっている複槽薬剤バッグにおける一端側の前記薬剤収容室または他端側の前記薬剤収容室に、前記注出用口部材または前記吊下穴を覆うように、熱収縮性フィルムによって形成された袋状または筒状の封緘材を被せて加熱収縮させることによって、前記複槽薬剤バッグに前記封緘材を装着する、封緘材付き複槽薬剤バッグの製造方法において、  前記封緘材を加熱収縮させる際、前記封緘材の開口端部を除いて、少なくとも、前記封緘材を被せた前記バッグ本体の前記薬剤収容室における幅方向の中央部分を熱遮蔽部材によって覆うようにしたことを特徴とする封緘材付き複槽薬剤バッグの製造方法。
【手続補正２】
【補正対象書類名】明細書
【補正対象項目名】発明の名称
【補正方法】変更
【補正の内容】
【発明の名称】封緘材付き複槽薬剤バッグの製造方法
【手続補正３】
【補正対象書類名】明細書
【補正対象項目名】０００１
【補正方法】変更
【補正の内容】
【０００１】  この発明は、同時に配合すると経時変化を起こすような不安定な薬剤等（液剤、粉末剤または固形剤）が二槽に分かれて封入されており、投薬時に隔壁を開通して使用する二槽バッグ製剤等の複槽薬剤バッグを、熱収縮性フィルムによって形成された袋状または筒状の封緘材を被せて加熱収縮させることによって封緘する、封緘材付き複槽薬剤バッグの製造方法に関する。
【手続補正４】
【補正対象書類名】明細書
【補正対象項目名】００１２
【補正方法】変更
【補正の内容】
【００１２】  そこで、この発明の課題は、複槽薬剤バッグが変形しにくく、熱収縮性フィルムによって形成された封緘材を複槽薬剤バッグに綺麗に装着することができる封緘材付き複槽薬剤バッグの製造方法を提供することにある。
【手続補正５】
【補正対象書類名】明細書
【補正対象項目名】００１３
【補正方法】変更
【補正の内容】
【００１３】  上記の課題を解決するため、請求項１にかかる発明は、異なる薬剤が収容される複数の薬剤収容室及び隣接する前記薬剤収容室を相互に連通可能に連結する隔壁部を有する柔軟なバッグ本体と、このバック本体における一端側の前記薬剤収容室に装着された注出用口部材とを備え、投薬する際は、前記隔壁部を開通させてそれぞれの前記薬剤収容室に収容された異なる薬剤を混合し、前記バック本体における前記注出用口部材が装着されていない他端側の前記薬剤収容室の外側に形成された吊下穴に引っかけて吊り下げた状態で、混合薬剤を前記注出用口部材から注出するようになっている複槽薬剤バッグにおける一端側の前記薬剤収容室または他端側の前記薬剤収容室に、前記注出用口部材または前記吊下穴を覆うように、熱収縮性フィルムによって形成された袋状または筒状の封緘材を被せて加熱収縮させることによって、前記複槽薬剤バッグに前記封緘材を装着する、封緘材付き複槽薬剤バッグの製造方法において、前記封緘材を加熱収縮させる際、前記封緘材を被せた前記バッグ本体における前記薬剤収容室を前記封緘材の外側から押えて内圧を高めるようにしたことを特徴とする封緘材付き複槽薬剤バッグの製造方法を提供するものである。
【手続補正６】
【補正対象書類名】明細書
【補正対象項目名】００１４
【補正方法】変更
【補正の内容】
【００１４】  また、上記の課題を解決するため、請求項２にかかる発明は、異なる薬剤が収容される複数の薬剤収容室及び隣接する前記薬剤収容室を相互に連通可能に連結する隔壁部を有する柔軟なバッグ本体と、このバック本体における一端側の前記薬剤収容室に装着された注出用口部材とを備え、投薬する際は、前記隔壁部を開通させてそれぞれの前記薬剤収容室に収容された異なる薬剤を混合し、前記バック本体における前記注出用口部材が装着されていない他端側の前記薬剤収容室の外側に形成された吊下穴に引っかけて吊り下げた状態で、混合薬剤を前記注出用口部材から注出するようになっている複槽薬剤バッグにおける一端側の前記薬剤収容室または他端側の前記薬剤収容室に、前記注出用口部材または前記吊下穴を覆うように、熱収縮性フィルムによって形成された袋状または筒状の封緘材を被せて加熱収縮させることによって、前記複槽薬剤バッグに前記封緘材を装着する、封緘材付き複槽薬剤バッグの製造方法において、前記封緘材を加熱収縮させる際、前記封緘材の開口端部を除いて、少なくとも、前記封緘材を被せた前記バッグ本体の前記薬剤収容室における幅方向の中央部分を熱遮蔽部材によって覆うようにしたことを特徴とする封緘材付き複槽薬剤バッグの製造方法を提供するものである。
【手続補正７】
【補正対象書類名】明細書
【補正対象項目名】００１５
【補正方法】変更
【補正の内容】
【００１５】  以上のように、請求項１にかかる発明の封緘材付き複槽薬剤バッグの製造方法では、封緘材を加熱収縮させる際、封緘材を被せたバッグ本体における薬剤収容室を封緘材の外側から押えて内圧を高めるようにしたので、複槽薬剤バッグのバッグ本体における封緘材を被せた薬剤収容室の保形性が向上する。これによって、封緘材を加熱収縮させる際、封緘材の収縮力に負けてバッグ本体が変形することがなく、良好な外観を確保することができる。
【手続補正８】
【補正対象書類名】明細書
【補正対象項目名】００１６
【補正方法】変更
【補正の内容】
【００１６】  また、請求項２にかかる発明の封緘材付き複槽薬剤バッグの製造方法では、封緘材を加熱収縮させる際、封緘材の開口端部を除いて、少なくとも、封緘材を被せたバッグ本体の薬剤収容室における幅方向の中央部分を熱遮蔽部材によって覆うようにしたので、封緘材における熱遮蔽部材に対応する部分の熱収縮量が小さくなる。従って、封緘材を加熱収縮させる際、封緘材の収縮に伴うバッグ本体の変形を抑えることができると共に、その熱遮蔽部分に施された印刷表示等が歪みにくくなり、良好な外観を確保することができる。
【手続補正９】
【補正対象書類名】明細書
【補正対象項目名】００４２
【補正方法】変更
【補正の内容】
【００４２】  また、上述した実施形態では、封緘材Ｂ０を、注出用口栓Ａ４側の薬液収容室Ａ２ａに装着するようにしているが、これに限定されるものではなく、例えば、隔壁部Ａ３ｂを開通させなければ、二槽薬液バッグＡ０を吊り下げることができないように、吊下穴Ａ１ａ側の薬液収容室Ａ２ｂに装着する場合にも、本発明の製造方法を採用することができることはいうまでもない。
【手続補正１０】
【補正対象書類名】明細書
【補正対象項目名】００４４
【補正方法】変更
【補正の内容】
【００４４】  また、上述した各実施形態では、異なる薬液がそれぞれ収容された二つの薬液収容室Ａ２ａ、Ａ２ｂを有する二槽薬液バッグＡ０に封緘材Ｂ０を装着する場合について説明したが、三以上の薬剤収容室を有する複槽薬液バッグについても本発明の製造方法を適用することができ、さらに、注出用口部材が装着されている薬剤収容室に液剤が収容されていれば、他の薬剤収容室に粉末剤または固形剤が収容されているような複槽薬剤バッグに封緘材を装着する場合についても本発明の製造方法を適用することができる。
【手続補正１１】
【補正対象書類名】明細書
【補正対象項目名】００４５
【補正方法】変更
【補正の内容】
【００４５】
【図１】この発明にかかる封緘材付き複槽薬剤バッグの製造方法を実施するための封緘材装着装置の一実施形態を示す概略構成図である。
【図２】（ａ）は二槽薬液バッグを示す正面図、（ｂ）は同上の二槽薬液バッグを示す側面図、（ｃ）は同上の二槽薬液バッグに袋状の封緘材を被せた状態を示す正面図である。
【図３】（ａ）は封緘材が装着された二槽薬液バッグを示す正面図、（ｂ）は同上の二槽薬液バッグを示す側面図、（ｃ）は同上の二槽薬液バッグから封緘材を取り外す方法を説明するための説明図である。
【図４】（ａ）〜（ｃ）は同上の封緘材装着装置における被覆部による封緘材の形成及び被嵌動作を示す工程図である。
【図５】同上の封緘材装着装置における第１加熱部及び第２加熱部を示す概略側面図である。
【図６】同上の第１加熱部における押え手段を示す断面図である。
【図７】同上の第１加熱部を示す概略断面図である。
【図８】同上の第２加熱部を示す概略断面図である。
【図９】同上の押え手段の変形例を示す断面図である。
【図１０】（ａ）は従来方法によって封緘材が装着された二槽薬液バッグを示す正面図、（ｂ）は（ａ）のＸ−Ｘ線に沿った断面図である。